(57)【要約】【課題】トリガ信号を受信させたい対象輪ではない非対象輪に取り付けられた送受信機までトリガ信号が受信されないようにする。【解決手段】第１トリガ機５ａから左後輪６ｄに取り付けられた送受信機２までの距離であって、左後輪６ｄの回転に伴って第１トリガ機５ａから送受信機２までの距離が変化したときに最も短くなるときの距離をＬ１、第１トリガ機５ａから右前輪６ａに取り付けられた送受信機２までの距離であって、右前輪６ａの回転に伴って第１トリガ機５ａから送受信機２までの距離が変化したときに最も長くなるときの距離をＬ２とする。この場合において、距離Ｌ１の距離Ｌ２に対する比（Ｌ１／Ｌ２）を１．２以上とする。【選択図】図４
2008149831.tif 000002
【特許請求の範囲】
【請求項１】
タイヤを備えた複数個の車輪（６ａ〜６ｄ）それぞれに備えられ、トリガ信号を受信する受信部（２５）と、前記受信部で受信された前記トリガ信号の受信強度を求めると共に、求めた受信強度を表す受信強度データをフレームに格納する第１制御部（２２）と、前記第１制御部にて処理された前記フレームを送信する送信部（２３）とを有してなる送受信機（２）と、
車体（７）側に備えられ、前記トリガ信号を出力するトリガ機（５）と、
前記車体側に備えられ、前記フレームを受信する受信部（３２）と、該フレームに格納された前記受信強度データが表す前記受信強度に基づいて、前記送受信機が前記複数個の車輪のいずれに取り付けられたものかを判別する第２制御部（３３）を備えた受信機（３）と、を有し、
前記複数個の車輪は前輪２輪（６ａ、６ｂ）と後輪２輪（６ｃ、６ｄ）を含み、
前記トリガ機は、前記後輪２輪よりも前記前輪２輪側に配置されると共に前記前輪２輪を構成する右前輪（６ａ）と左前輪（６ｂ）から異なる距離に配置された第１トリガ機（５ａ）と、前記前輪２輪よりも前記後輪２輪側に配置されると共に前記後輪２輪を構成する右後輪（６ｃ）と左後輪（６ｄ）から異なる距離に配置された第２トリガ機（５ｂ）とを有して構成され、
前記後輪２輪のうち前記第１トリガ機から近い側の車輪に取り付けられた前記送受信機が最も前記第１トリガ機に近づいたときの距離をＬ１とし、前記前輪２輪のうち前記第１トリガ機から遠い側の車輪に取り付けられた前記送受信機が最も前記第１トリガ機から離れたときの距離をＬ２として、前記距離Ｌ１の前記距離Ｌ２に対する比（Ｌ１／Ｌ２）が１．２以上であり、
前記前輪２輪のうち前記第２トリガ機から近い側の車輪に取り付けられた前記送受信機が最も前記第２トリガ機に近づいたときの距離をＬ３とし、前記後輪２輪のうち前記第２トリガ機から遠い側の車輪に取り付けられた前記送受信機が最も前記第２トリガ機から離れたときの距離をＬ４として、前記距離Ｌ３の前記距離Ｌ４に対する比（Ｌ３／Ｌ４）が１．２以上であることを特徴とする車輪位置検出装置。
【請求項２】
前記第１トリガ機は、前記前輪２輪よりも車両前方に配置され、
前記第２トリガ機は、前記後輪２輪よりも車両後方に配置されていることを特徴とする請求項１に記載の車輪位置検出装置。
【請求項３】
前記第１トリガ機は、前記前輪２輪のうち近い側の車輪のタイヤハウスの前方に配置され、
前記第２トリガ機は、前記後輪２輪のうち遠い側の車輪のタイヤハウスの後方に配置されていることを特徴とする請求項２に記載の車輪位置検出装置。
【請求項４】
前記後輪２輪のうち前記第２トリガ機が近づけられる側の車輪と、前記前輪２輪のうち前記第１トリガ機が近づけられる側の車輪とが対角の関係に配置されていることを特徴とする請求項１ないし３のいずれか１つに記載の車輪位置検出装置。
【請求項５】
タイヤを備えた複数個の車輪（６ａ〜６ｄ）それぞれに備えられ、トリガ信号を受信する受信部（２５）と、前記受信部で受信された前記トリガ信号の受信強度を求めると共に、求めた受信強度を表す受信強度データをフレームに格納する第１制御部（２２）と、前記第１制御部にて処理された前記フレームを送信する送信部（２３）とを有してなる送受信機（２）と、
車体（７）側に備えられ、前記トリガ信号を出力するトリガ機（５）と、
前記車体側に備えられ、前記フレームを受信する受信部（３２）と、該フレームに格納された前記受信強度データが表す前記受信強度に基づいて、前記送受信機が前記複数個の車輪のいずれに取り付けられたものかを判別する第２制御部（３３）を備えた受信機（３）と、を有し、
前記複数個の車輪は右車輪２輪（６ａ、６ｃ）と左車輪２輪（６ｂ、６ｄ）を含み、
前記トリガ機は、前記右車輪２輪よりも前記左車輪２輪側に配置されると共に前記左車輪２輪を構成する左前輪（６ｂ）と左後輪（６ｄ）から異なる距離に配置された第１トリガ機（５ａ）と、前記左車輪２輪よりも前記右車輪２輪側に配置されると共に前記右車輪２輪を構成する右前輪（６ａ）と右後輪（６ｃ）から異なる距離に配置された第２トリガ機（５ｂ）とを有して構成され、
前記右車輪２輪のうち前記第１トリガ機から近い側の車輪に取り付けられた前記送受信機が最も前記第１トリガ機に近づいたときの距離をＬ１とし、前記左車輪２輪のうち前記第１トリガ機から遠い側の車輪に取り付けられた前記送受信機が最も前記第１トリガ機から離れたときの距離Ｌ２として、前記距離Ｌ１の前記距離Ｌ２に対する比（Ｌ１／Ｌ２）が１．２以上であり、
前記左車輪２輪のうち前記第２トリガ機から近い側の車輪に取り付けられた前記送受信機が最も前記第２トリガ機に近づいたときの距離をＬ３とし、前記右車輪２輪のうち前記第２トリガ機から遠い側の車輪に取り付けられた前記送受信機が最も前記第２トリガ機から離れたときの距離をＬ４として、前記距離Ｌ３の前記距離Ｌ４に対する比（Ｌ３／Ｌ４）が１．２以上であることを特徴とする車輪位置検出装置。
【請求項６】
請求項１ないし５のいずれか１つに記載の車輪位置検出装置を含むタイヤ空気圧検出装置であって、
前記送受信機は、前記複数個の車輪それぞれに備えられた前記タイヤの空気圧に関する検出信号を出力するセンシング部（２１）を備え、前記第１制御部によって前記センシング部の検出信号が信号処理されたのち、前記送信部を介して送信されるようになっており、
前記受信機は、前記第２制御部にて、該検出信号に基づいて前記複数個の車輪それぞれに備えられた前記タイヤの空気圧を求めるようになっていることを特徴とするタイヤ空気圧検出装置。
【発明の詳細な説明】
【技術分野】
【０００１】
本発明は、車輪が車両のどの位置に取り付けられているかを検出する車輪位置検出装置に関するもので、特に、タイヤが取り付けられた車輪に圧力センサが備えられた送受信機を直接取り付け、その圧力センサからの検出信号を送受信機から送信し、車体側に取り付けられた受信機によって受信することで、タイヤ空気圧の検出を行うダイレクト式のタイヤ空気圧検出装置に適用して好適である。
【背景技術】
【０００２】
従来より、タイヤ空気圧検出装置の１つとして、ダイレクト式のものがある。このタイプのタイヤ空気圧検出装置では、タイヤが取り付けられた車輪側に、圧力センサ等のセンサが備えられた送受信機が直接取り付けられている。また、車体側には、アンテナおよび受信機が備えられており、センサからの検出信号が送受信機から送信されると、アンテナを介して受信機にその検出信号が受信され、タイヤ空気圧の検出が行われるようになっている。
【０００３】
このようなダイレクト式のタイヤ空気圧検出装置では、送信されてきたデータが自車両のものであるかどうか、および送受信機がどの車輪に取り付けられたものかを判別できるように、送受信機が送信するデータ中に、自車両か他車両かを判別するためと送受信機が取り付けられた車輪を判別するためのＩＤ情報を付加している。
【０００４】
そして、受信機側にそのＩＤ情報を予め登録しておき、送受信機から送られたデータを受信したときに、受け取ったＩＤ情報からそのデータがどの車輪のものかを判別するようにしている（例えば、特許文献１参照）。
【特許文献１】特許第３２１２３１１号公報
【発明の開示】
【発明が解決しようとする課題】
【０００５】
上述したように、従来のタイヤ空気圧検出装置では、送受信機から送信されるデータ中に各車輪それぞれに決められたＩＤ情報を含ませることにより、送受信機が取り付けられた車輪の判別が行えるようになっている。このため、各車輪ごとに付加されたＩＤ情報が無いと、どの車輪に対応する送受信機からのデータか判別することができない。すなわち、ＩＤ情報を用いないと、各送受信機が車両のどの位置についているものなのかを検出することができない。
【０００６】
また上述の手段によると、ユーザー自らがタイヤローテーションなどのように車輪の位置を変えた場合には、ユーザがローテーションさせた車輪のＩＤ情報を読み取り、それまでに登録してあったＩＤ情報を再度登録し直さなければ、タイヤ空気圧検出装置側で車輪の位置変更に対応できない。
【０００７】
このため、ＩＤ情報（車輪位置情報）が無くても各送受信機が取り付けられた車輪、つまり取り付け位置を検出できるようにすることが望まれる。もしくは、車輪の位置変更によってＩＤ情報を登録し直す必要がある場合には、それが自動的に検出できるようにすることが望まれる。
【０００８】
これに対して、本発明者らは、トリガ機から一定強度のトリガ信号を送信させると共に、各車輪に取り付けた送受信機にてトリガ信号の受信強度を検出させ、トリガ信号の信号強度がトリガ機からの距離が遠くなるに従って減衰することを利用して、各送受信機で受信したトリガ信号の受信強度に基づいて、各送受信機がどの車輪に取り付けられたものであるかという車輪位置検出が行えるようにすることを見出した（例えば、特願２００５−１９７４９７参照）。
【０００９】
そして、このような車輪位置検出をより好適に行えるように、両前輪に取り付けられた各送受信機でのみ受信されるトリガ信号を出力する前輪用のトリガ機と、両後輪に取り付けられた各送受信機でのみ受信されるトリガ信号を出力する後輪用のトリガ機とを備えることを提案している。
【００１０】
しかしながら、トリガ信号の強度の減衰は、車両環境の影響によって変わり、例えば路面に鉄筋が入っている高架道路や立体駐車場では減衰が少なくなり、送受信機にてトリガ信号を受信できる距離が長くなることがある。この場合、トリガ機から送受信機までの距離が想定した距離よりも長くても、トリガ信号が受信できることになる。これにより、トリガ信号を受信させたい対象輪ではない非対象輪に取り付けられた送受信機までトリガ信号が受信され、車輪位置検出が精度良く行えなくなるという問題がある。
【００１１】
なお、本発明者らは、前輪用のトリガ機と後輪用のトリガ機とを車両の中心線に対して同サイドに偏らせて配置（オフセット配置）することで、アルゴリズム上でトリガ信号を受信した送受信機が前輪に取り付けられたものか、後輪に取り付けられたものかを判別することを提案しているが、その分、アルゴリズムが複雑化するため、非対象輪に取り付けられた送受信機までトリガ信号が受信されないようにすることが求められる。
【００１２】
本発明は上記点に鑑みて、各送受信機がどの車輪に取り付けられているかを、ユーザーによるＩＤ情報の読み取りなどを行わなくても検出できる車輪位置検出装置とし、かつ、トリガ信号の受信対象とならない非対象輪に取り付けられた送受信機でトリガ信号が受信されないようにすることを目的とする。
【課題を解決するための手段】
【００１３】
上記目的を達成するため、本発明では、トリガ機（５）は、後輪２輪よりも前輪２輪側に配置されると共に前輪２輪を構成する右前輪（６ａ）と左前輪（６ｂ）から異なる距離に配置された第１トリガ機（５ａ）と、前輪２輪よりも後輪２輪側に配置されると共に後輪２輪を構成する右後輪（６ｃ）と左後輪（６ｄ）から異なる距離に配置された第２トリガ機（５ｂ）とを有して構成され、後輪２輪のうち第１トリガ機から近い側の車輪に取り付けられた送受信機が最も第１トリガ機に近づいたときの距離をＬ１とし、前輪２輪のうち第１トリガ機から遠い側の車輪に取り付けられた送受信機が最も第１トリガ機から離れたときの距離をＬ２として、距離Ｌ１の距離Ｌ２に対する比（Ｌ１／Ｌ２）が１．２以上であり、前輪２輪のうち第２トリガ機から近い側の車輪に取り付けられた送受信機が最も第２トリガ機に近づいたときの距離をＬ３とし、後輪２輪のうち第２トリガ機から遠い側の車輪に取り付けられた送受信機が最も第２トリガ機から離れたときの距離をＬ４として、距離Ｌ３の距離Ｌ４に対する比（Ｌ３／Ｌ４）が１．２以上であることを第１の特徴としている。
【００１４】
このように、距離Ｌ１の距離Ｌ２に対する比（Ｌ１／Ｌ２）を１．２以上にすると共に、距離Ｌ３の距離Ｌ４に対する比（Ｌ３／Ｌ４）を１．２以上にしている。これにより、第１トリガ機が出力したトリガ信号は、両前輪に取り付けられた送受信機でしか受信されず、第２トリガ機が出力したトリガ信号は、両後輪に取り付けられた送受信機でしか受信されないようにできる。これにより、各送受信機がどの車輪に取り付けられているかを、ユーザーによるＩＤ情報の読み取りなどを行わなくても検出できる車輪位置検出装置とし、かつ、トリガ信号を受信させたい対象輪ではない非対象輪に取り付けられた送受信機までトリガ信号が受信されることを防止でき、車輪位置検出が精度良く行えなくなることを防止できる。
【００１５】
この場合において、第１トリガ機を前輪２輪よりも車両前方に配置し、第２トリガ機を後輪２輪よりも車両後方に配置すれば、距離Ｌ１の距離Ｌ２に対する比（Ｌ１／Ｌ２）や距離Ｌ３の距離Ｌ４に対する比（Ｌ３／Ｌ４）をより大きくすることが可能となる。例えば、第１トリガ機を前輪２輪のうち近い側の車輪のタイヤハウスの前方に配置し、第２トリガ機を後輪２輪のうち遠い側の車輪のタイヤハウスの後方に配置すれば良い。
【００１６】
さらに、この場合、後輪２輪のうち第２トリガ機が近づけられる側の車輪と、前輪２輪のうち第１トリガ機が近づけられる側の車輪とが対角の関係に配置されるようにすることができる。このように車両の左右両サイドに１つずつトリガ機を配置した形態とすれば、各トリガ機やそれに繋がるワイヤーハーネスの重量を車両の左右でバランスさせられるため、車両の左右の重量バランスを良くすることが可能になる。
【００１７】
また、トリガ機は、右車輪２輪よりも左車輪２輪側に配置されると共に左車輪２輪を構成する左前輪（６ｂ）と左後輪（６ｄ）から異なる距離に配置された第１トリガ機（５ａ）と、左車輪２輪よりも右車輪２輪側に配置されると共に右車輪２輪を構成する右前輪（６ａ）と右後輪（６ｃ）から異なる距離に配置された第２トリガ機（５ｂ）とを有して構成され、右車輪２輪のうち第１トリガ機から近い側の車輪に取り付けられた送受信機が最も第１トリガ機に近づいたときの距離をＬ１とし、左車輪２輪のうち第１トリガ機から遠い側の車輪に取り付けられた送受信機が最も第１トリガ機から離れたときの距離Ｌ２として、距離Ｌ１の距離Ｌ２に対する比（Ｌ１／Ｌ２）が１．２以上であり、左車輪２輪のうち第２トリガ機から近い側の車輪に取り付けられた送受信機が最も第２トリガ機に近づいたときの距離をＬ３とし、右車輪２輪のうち第２トリガ機から遠い側の車輪に取り付けられた送受信機が最も第２トリガ機から離れたときの距離をＬ４として、距離Ｌ３の距離Ｌ４に対する比（Ｌ３／Ｌ４）が１．２以上であることを第２の特徴としている。
【００１８】
このように、距離Ｌ１の距離Ｌ２に対する比（Ｌ１／Ｌ２）を１．２以上にすると共に、距離Ｌ３の距離Ｌ４に対する比（Ｌ３／Ｌ４）を１．２以上にしている。これにより、第１トリガ機が出力したトリガ信号は、両左車輪に取り付けられた送受信機でしか受信されず、第２トリガ機が出力したトリガ信号は、両右車輪に取り付けられた送受信機でしか受信されないようにできる。これにより、各送受信機がどの車輪に取り付けられているかを、ユーザーによるＩＤ情報の読み取りなどを行わなくても検出できる車輪位置検出装置とし、かつ、トリガ信号を受信させたい対象輪ではない非対象輪に取り付けられた送受信機までトリガ信号が受信されることを防止でき、車輪位置検出が精度良く行えなくなることを防止できる。
【００１９】
以上の説明では、本発明を車輪位置検出装置として示したが、この車輪位置検出装置を
タイヤ空気圧検出装置に組み込むことも可能である。
【００２０】
なお、上記各手段の括弧内の符号は、後述する実施形態に記載の具体的手段との対応関係を示すものである。
【発明を実施するための最良の形態】
【００２１】
以下、本発明の実施形態について図に基づいて説明する。なお、以下の各実施形態相互において、互いに同一もしくは均等である部分には、図中、同一符号を付してある。
【００２２】
（第１実施形態）
本発明の第１実施形態について図を参照して説明する。図１は、本発明の一実施形態における車輪位置検出装置が適用されたタイヤ空気圧検出装置の全体構成を示すブロック図である。図１の紙面上方向が車両１の前方、紙面下方向が車両１の後方に一致する。この図を参照して、本実施形態におけるタイヤ空気圧検出装置について説明する。
【００２３】
図１に示されるように、タイヤ空気圧検出装置は、車両１に取り付けられるもので、送受信機２、受信機３、表示器４およびトリガ機５を備えて構成されている。本実施形態では、送受信機２、受信機３およびトリガ機５が、本発明の車輪位置検出装置に相当する。
【００２４】
送受信機２は、車両１における４つの車輪６ａ〜６ｄ（スペアタイヤを含めると５つ）それぞれに取り付けられるもので、各車輪６ａ〜６ｄに取り付けられたタイヤの空気圧を検出すると共に、その検出結果を示す検出信号のデータを送信するフレーム内に格納して送信するものである。また、受信機３は、車両１における車体７側に取り付けられるもので、送受信機２から送信されるフレームを受信すると共に、その中に格納された検出信号に基づいて各種処理や演算等を行うことでタイヤ空気圧を求めるものである。図２（ａ）、（ｂ）に、これら送受信機２と受信機３のブロック構成を示す。
【００２５】
図２（ａ）に示されるように、送受信機２は、センシング部２１、制御部２２、ＲＦ送信部２３、電池２４、トリガ信号受信部２５、送信アンテナ２６および受信アンテナ２７を備えて構成されている。
【００２６】
センシング部２１は、例えばダイアフラム式の圧力センサや温度センサを備えた構成とされ、タイヤ空気圧に応じた検出信号や温度に応じた検出信号を出力するようになっている。
【００２７】
制御部（第１制御部）２２は、ＣＰＵ、ＲＯＭ、ＲＡＭ、Ｉ／Ｏなどを備えた周知のマイクロコンピュータによって構成され、ＲＯＭなどに記憶されたプログラムに従って、所定の処理を実行する。
【００２８】
具体的には、制御部２２は、センシング部２１からのタイヤ空気圧に関する検出信号を受け取り、それを信号処理すると共に必要に応じて加工し、検出結果を示すデータ（以下、タイヤ空気圧に関するデータという）として各送受信機２のＩＤ情報と共に送信するフレーム内に格納し、その後、フレームをＲＦ送信部２３に送るものである。このＲＦ送信部２３へ信号を送る処理は、上記プログラムに従って所定の周期毎に実行される。
【００２９】
この制御部２２は、イグニッションスイッチがオフの際には通常時はＳｌｅｅｐ状態になっているが、トリガ信号を受け取り、トリガ信号に含まれる起動コマンドが入力されると、Ｗａｋｅ−ｕｐ状態に切り替わる。また、制御部２２には、トリガ信号強度測定部２２ａが備えられており、受信アンテナ２７およびトリガ信号受信部２５を通じてトリガ機５からのトリガ信号を受け取り、Ｗａｋｅ−ｕｐ状態になると、トリガ信号強度測定部２２ａにてトリガ信号の受信強度を測定する。そして、制御部２２は、必要に応じて受信強度データを加工し、その受信強度データをタイヤ空気圧に関するデータが格納されたフレーム、もしくは、それとは別のフレームに格納した後、フレームをＲＦ送信部２３に送る。これらトリガ信号の受信強度の測定や受信強度データをＲＦ送信部２３へ送る処理も、上記プログラムに従って行われる。
【００３０】
また、制御部２２は、フレームをＲＦ送信部２３に送るタイミングを制御する。これは、各送受信機２からの送信データ同士でのバッティングを防ぐためである。例えば、トリガ信号を受け取ってから何秒後にフレームを送るかという送信タイミングが、予め各送受信機２毎に異なるもので設定されている。このため、各車輪６ａ〜６ｄの送受信機２から、それぞれ異なったタイミングでフレームが送信されるようになっている。
【００３１】
ただし、各車輪６ａ〜６ｄの送受信機２から異なるタイミングでフレームが送信されるようにするために、単に、各送受信機２の制御部２２に異なった送信タイミングを記憶させただけでは、各送受信機２の記憶内容が異なったものとなってしまう。このため、受信強度に応じてフレームの送信タイミングがずらされるように、例えば、受信強度に応じて送信タイミングが選択できるマップ、もしくは、送信強度を変数として送信タイミングを求める関数式を制御部２２に記憶させておき、受信強度の相違により必然的に各送受信機２の送信タイミングが異なるようにすれば、すべての送受信機２の制御部２２のプログラムを共通にすることが可能となる。
【００３２】
また、送信タイミングが毎回ランダムに変更されるように、制御部２２に記憶させるプログラムを設定しても良い。このように、毎回ランダムに変更されるようにすれば、高い確率で各送受信機２の送信タイミングがすべて異なったものになるようにすることが可能である。
【００３３】
ＲＦ送信部２３は、送信アンテナ２６を通じて、制御部２２から送られてきたフレームを受信機３に向けてＲＦ帯、例えば３１５ＭＨｚの電波で送信する出力部としての機能を果たすものである。
【００３４】
トリガ信号受信部２５は、受信アンテナ２７を通じて、トリガ信号を受け取り、制御部２２に送る入力部としての機能を果たすものである。
【００３５】
電池２４は、制御部２２などに対して電力供給を行うものであり、この電池２４からの電力供給を受けて、センシング部２１でのタイヤ空気圧に関するデータの収集や制御部２２での各種演算などが実行される。
【００３６】
このように構成される送受信機２は、例えば、各車輪６ａ〜６ｄのホイールにおけるエア注入バルブに取り付けられ、センシング部２１がタイヤの内側に露出するように配置される。これにより、該当するタイヤ空気圧を検出し、各送受信機２に備えられた送信アンテナ２６を通じて、所定周期毎（例えば、１分毎）にフレームを送信するようになっている。
【００３７】
また、図２（ｂ）に示されるように、受信機３は、アンテナ３１とＲＦ受信部３２および制御部３３を備えた構成となっている。
【００３８】
アンテナ３１は、各送受信機２から送られてくるフレームを総括的に受け取る１本の共通アンテナとなっており、車体７に固定されている。
【００３９】
ＲＦ受信部３２は、各送受信機２から送信されたフレームがアンテナ３１で受信されると、それを入力して制御部３３に送る入力部としての機能を果たすものである。
【００４０】
制御部３３は、ＣＰＵ、ＲＯＭ、ＲＡＭ、Ｉ／Ｏなどを備えた周知のマイクロコンピュータによって構成され、ＲＯＭなどに記憶されたプログラムに従って、所定の処理を実行する。
【００４１】
具体的には、制御部３３は、トリガ機５に対してトリガ信号を出力させることを指令するトリガ指令信号を出力すると共に、ＲＦ受信部３２が受信したフレームを受け取り、フレームに格納された各送受信機２でのトリガ信号の受信強度データに基づいて、送られてきたフレームが４つの車輪６ａ〜６ｄのいずれに取り付けられた送受信機２のものかを特定する車輪位置検出を行う。
【００４２】
さらに、制御部３３では、受け取ったフレームに格納された検出結果を示すデータに基づいて各種信号処理および演算等を行うことによりタイヤ空気圧を求めると共に、求めたタイヤ空気圧に応じた電気信号を表示器４に出力する。例えば、制御部３３は、求めたタイヤ空気圧を所定のしきい値Ｔｈと比較し、タイヤ空気圧が低下したことを検知した場合には、その旨の信号を表示器４に出力する。これにより、４つの車輪６ａ〜６ｄのいずれかのタイヤ空気圧が低下したことが表示器４に伝えられる。
【００４３】
表示器４は、図１に示されるように、ドライバが視認可能な場所に配置され、例えば車両１におけるインストルメントパネル内に設置される警報ランプによって構成される。この表示器４は、例えば受信機３における制御部３３からタイヤ空気圧が低下した旨を示す信号が送られてくると、その旨の表示を行うことでドライバにタイヤ空気圧の低下を報知する。
【００４４】
トリガ機５は、受信機３の制御部３３から送られてくるトリガ指令信号が入力されると、例えば、１２５〜１３５ｋＨｚのＬＦ帯であって、所定の信号強度を有するトリガ信号を出力するものである。トリガ信号としては、例えば、図３（ａ）〜（ｃ）に示す形態のものを使用することができる。
【００４５】
図３（ａ）は、トリガ信号をコマンド部が格納されたフレームを複数個並べる形態を示している。各コマンド部には、起動コマンドと実行コマンドが含まれる。起動コマンドは、送受信機２内の制御部２２をＳｌｅｅｐ状態からＷａｋｅ−ｕｐ状態に切り替えるためのコマンドとして予め取り決められる。実行コマンドは、起動した制御部２２に対して、受け取ったトリガ信号の受信強度を測定させると共に、必要に応じて受信強度データを加工させ、その受信強度データをタイヤ空気圧に関するデータが格納されたフレーム、もしくは、それとは別のフレームに格納させた後、フレームをＲＦ送信部２３に送らせるという動作指示を行う。例えば、このようなトリガ信号は、１２５ｋＨｚの電磁波とされ、送受信機２が１番目のコマンド部を格納したフレームを受け取ると、続く２番目のコマンド部を格納したフレームの受信強度を測定することで、トリガ信号の受信強度を測定することができる。なお、ここではコマンド部を格納したフレームを２つ並べたトリガ信号を例に挙げたが、フレームの数は３個以上であっても構わない。また、各フレーム間は図３（ａ）に示すように断続していても良いが、連続していても良い。
【００４６】
図３（ｂ）は、トリガ信号をコマンド部およびダミー部が格納されたフレームとする形態を示している。コマンド部には、上記と同様に、起動コマンドと実行コマンドが含まれる。ダミー部は、受信強度測定に用いられるもので、変調されている信号でも変調されていない単なるキャリア信号でも良い。例えば、このようなトリガ信号は、１２５ｋＨｚの電磁波とされ、送受信機２がコマンド部を受け取ると、続くダミー部の受信強度を測定することで、トリガ信号の受信強度を測定することができる。
【００４７】
図３（ｃ）は、トリガ信号をパルス列からなる信号およびダミー部が格納されたフレームとする形態を示している。パルス列は、一定時間ｔａ内に予め取り決めておいた数（例えば４個）のパルス信号ＣＷを含むものである。このパルス列が送受信機２をＷａｋｅ−ｕｐ状態にさせるための起動コマンドとして働く。各パルス信号ＣＷは、ＡＭ変調された信号であっても、無変調の信号であっても良い。ダミー部は、上記と同様、受信強度測定に用いられるものである。例えば、このようなトリガ信号は、１２５ｋＨｚの電磁波とされ、送受信機２が一定時間ｔａ内に予め取り決めておいた数（４個）のパルス信号ＣＷを受け取ると、続くダミー部の受信強度を測定することで、トリガ信号の受信強度を測定することができる。
【００４８】
なお、ここで示したトリガ信号は一例であり、トリガ信号が他の形態とされていても良い。例えば、予め送受信機２をＷａｋｅ−ｕｐ状態にさせるためのトリガ信号と受信強度測定用のトリガ信号とにフレームを分けて行うことも可能である。この場合、Ｗａｋｅ−ｕｐ状態にさせるためのトリガ信号を受信強度測定に使用する必要が無いため、信号強度が受信強度測定用のトリガ信号と異なっていても良い。また、送受信機２が常にＷａｋｅ−ｕｐ状態とされるものであれば、上述した図３（ａ）、（ｂ）に示した形態から起動コマンドを取り除いた部分のみをトリガ信号として用いることもできる。
【００４９】
トリガ機５は、前輪側に配置された第１トリガ機５ａと、後輪側に配置された第２トリガ機５ｂの２台により構成されている。
【００５０】
各トリガ機５ａ、５ｂは、対応する各車輪に対して異なる距離となるように、車両１を左右対称に分断する中心線に対してオフセットされて配置される。本実施形態では、第１トリガ機５ａは左前輪６ｂの近傍に配置され、第２トリガ機５ｂは左後輪６ｄの近傍に配置されており、両者は共に中心線よりも左側に配置されている。このため、第１トリガ機５ａから右前輪６ａまでの距離の方が、第１トリガ機５ａから左前輪６ｂまでの距離よりも長く、第２トリガ機５ｂから右後輪６ｃまでの距離の方が、第２トリガ機５ｂから左後輪６ｄまでの距離よりも長くなっている。
【００５１】
さらに、本実施形態では、第１トリガ機５ａから送信されたトリガ信号が左右前輪６ａ、６ｂに取り付けられた送受信機２に届き、第２トリガ機５ｂから送信されたトリガ信号が左右後輪６ｃ、６ｄに取り付けられた送受信機２に届くようにしている。これについて、図４に示す第１トリガ機５ａと右前輪６ａおよび左後輪６ｄに取り付けられた各送受信機２までの距離の関係を示した模式図を参照して説明する。
【００５２】
図４に示すように、第１トリガ機５ａから左後輪６ｄに取り付けられた送受信機２までの距離であって、左後輪６ｄの回転に伴って第１トリガ機５ａから送受信機２までの距離が変化したときに最も短くなるときの距離をＬ１とする。また、第１トリガ機５ａから右前輪６ａに取り付けられた送受信機２までの距離であって、右前輪６ａの回転に伴って第１トリガ機５ａから送受信機２までの距離が変化したときに最も長くなるときの距離をＬ２とする。この場合において、本実施形態では、距離Ｌ１の距離Ｌ２に対する比（Ｌ１／Ｌ２）が１．２以上となるようにしている。
【００５３】
同様に、第２トリガ機５ｂに関しては、第２トリガ機５ｂから左前輪６ｂに取り付けられた送受信機２までの距離であって、左前輪６ｂの回転に伴って第２トリガ機５ｂから送受信機２までの距離が変化したときに最も短くなるときの距離をＬ３とする。また、第２トリガ機５ｂから右後輪６ｃに取り付けられた送受信機２までの距離であって、右後輪６ｃの回転に伴って第２トリガ機５ｂから送受信機２までの距離が変化したときに最も長くなるときの距離をＬ４とする。この場合において、本実施形態では、距離Ｌ３の距離Ｌ４に対する比（Ｌ３／Ｌ４）が１．２以上となるようにしている。
【００５４】
図５は、距離Ｌ１の距離Ｌ２に対する比（Ｌ１／Ｌ２）に対するトリガ信号の受信強度差を示した図である。この図は、車両環境等の影響により、第１トリガ機５ａからトリガ信号を発生させたときに、右前輪６ａに取り付けられた送受信機２で最もトリガ信号が受信し難く、かつ、左後輪６ｄに取り付けられた送受信機２で最もトリガ信号が受信し易くなるような環境下で、トリガ信号の受信強度差を測定している。
【００５５】
第１トリガ機５ａから右前輪６ａや左後輪６ｄに取り付けられた各送受信機２までの距離が仮に等しい場合（Ｌ１／Ｌ２＝１）、各送受信機２でのトリガ信号の受信強度は車体の金属等の影響に基づく差のみ生じる。すなわち、トリガ信号の受信強度に距離による差が生じないため、車体の鉄板などの影響で差が生じる。この車体の鉄板などの影響は通常は、車種固有の値となる。
【００５６】
このようなトリガ信号の受信強度の差は、距離Ｌ１の距離Ｌ２に対する比（Ｌ１／Ｌ２）が大きくなる程、大きくなる。ここで、送受信機２がＬＦ帯のトリガ信号を受信するに当たり、送受信機２の感度バラツキ等を考慮すると、第１トリガ機５ａからトリガ信号を出力したときに、右前輪６ａに取り付けられた送受信機２ではトリガ信号を受信でき、かつ、左後輪６ｄに取り付けられた各送受信機２ではトリガ信号を受信できないようにするには、各送受信機２でのトリガ信号の受信強度差として６ｄＢ以上が必要になる。これを考慮すると、本実施形態で示すように、距離Ｌ１の距離Ｌ２に対する比（Ｌ１／Ｌ２）が１．２以上となれば良い。
【００５７】
この関係は、距離Ｌ３および距離Ｌ４に関しても言える。このため、距離Ｌ３の距離Ｌ４に対する比（Ｌ３／Ｌ４）が１．２以上となるようにすれば、第２トリガ機５ｂからトリガ信号を出力したときに、右後輪６ｃに取り付けられた送受信機２ではトリガ信号を受信でき、かつ、左前輪６ｂに取り付けられた各送受信機２ではトリガ信号を受信できないようにすることができる。
【００５８】
なお、トリガ機５は、周囲すべてが金属で覆われていない場所であればどこに搭載されていても構わないが、できるだけ金属で覆われないような場所、かつ、走行中に石等が当らないような例えばライナー内や車室内などに搭載されているのが好ましい。
【００５９】
以上のようにして、本実施形態における車輪位置検出装置が適用されたタイヤ空気圧検出装置が構成されている。
【００６０】
続いて、本実施形態のタイヤ空気圧検出装置の作動について説明する。タイヤ空気圧検出装置は、まず、図示しないイグニッションスイッチがオフからオンに切り替わってから所定時間後に車輪位置検出を行う。この車輪位置検出は、受信機３の制御部３３が車輪位置検出処理を実行することにより行われる。
【００６１】
図６は、受信機３の制御部３３が実行する車輪位置検出処理のフローチャートである。この車輪位置検出処理は、図示しないイグニッションスイッチがオフからオンに切り替わり、受信機３の制御部３３に対して電源投入が行われたときに実行される。
【００６２】
ステップ１００では、電源投入から所定時間経過後に、第１トリガ機５ａに向けてトリガ指令信号を出力する。このトリガ指令信号が第１トリガ機５ａに入力されると、第１トリガ機５ａから左右前輪６ａ、６ｂに取り付けられた送受信機２に向けて、所定の信号強度を有するトリガ信号が出力される。
【００６３】
このトリガ信号が左右前輪６ａ、６ｂに取り付けられた各送受信機２の受信アンテナ２７およびトリガ信号受信部２５を通じて、制御部２２に入力されると、制御部２２がＷａｋｅ−ｕｐ状態となり、トリガ信号強度測定部２２ａにて、受け取ったトリガ信号の受信強度を測定する。
【００６４】
また、各送受信機２は、トリガ信号の受信強度を求めると、それを各送受信機２の区別のために付けられるＩＤ情報と共に送信するフレームに格納し、そのフレームを受信機３に向けて送信する。このとき、各送受信機２の送信タイミングは、それぞれ異なったものとされていることから、受信機３により各送受信機２から送られてくるフレームを混信することなく確実に受信できる。
【００６５】
続いて、ステップ１１０では、第１トリガ機５ａから出力されたトリガ信号に対して、２個の送受信機２が応答したか否かを判定する。ここでいう２個の送受信機２とは、両前輪６ａ、６ｂに取り付けられたもののことを意味する。すなわち、上述したように、第１トリガ機５ａから左後輪６ｄに取り付けられた送受信機２までの距離Ｌ１と右前輪６ａに取り付けられた送受信機２までの距離Ｌ２との比（Ｌ１／Ｌ２）が１．２以上とされているため、第１トリガ機５ａが出力したトリガ信号は、両前輪６ａ、６ｂに取り付けられた送受信機２でしか受信されない。
【００６６】
ただし、妨害電波を放射している施設・設備近くに駐車しているなど、車両の周辺環境からトリガ信号が影響を受ける場合には送受信機２でトリガ信号を受信できなくなる可能性がある。そして、両前輪６ａ、６ｂに取り付けられた２個の送受信機２のうち少なくとも一方がトリガ信号を受信できなくなると、２個のフレームを受信できなくなり、２個の送受信機２からの応答が有ると判定できなくなる。この場合には、ステップ１１０で否定判定され、上記各処理をリトライすべく、ステップ１２０に進むと共に、制御部３３に内蔵された図示しないカウンタのカウント値を１つインクリメントしてリトライ回数を記憶しておく。
【００６７】
そして、ステップ１２０において、リトライ回数が５回以下であるか否かを判定し、５回以下であればステップ１００に戻ってリトライし、５回を超えていればリトライせずに、処理を止める。なお、この場合には、送受信機２の故障や電池切れなどが発生していると考えられるため、表示器４を通じてその旨を伝えるようにしても良い。
【００６８】
一方、ステップ１１０で肯定判定されると、ステップ１３０に進み、ステップ１３０〜１５０の各処理では、ステップ１３０において第２トリガ機５ｂに向けてトリガ指令信号を出力することにより、後輪６ｃ、６ｄ側について上記ステップ１００〜１２０に示した各処理と同様のことを実行する。これら各処理については前輪６ａ、６ｂ側に対して実行したものと全く同じことであるため、ここでは説明を省略するが、これら各処理を実行することにより、両後輪６ｃ、６ｄに取り付けられた送受信機２から正常にトリガ信号の受信強度データが送られてきているか否かを確認することができる。
【００６９】
続いて、ステップ１６０では、受信したフレームに格納された受信強度データに基づいて輪位置を割り付ける。具体的には、ステップ１１０において受信した２個のフレームから受信強度データおよびＩＤ情報を読み出し、受信強度の高い順にＩＤ情報を並べ、受信強度が高い方のＩＤ情報を左前輪６ｂに取り付けられた送受信機２のもの、受信強度が低い方のＩＤ情報を右前輪６ａに取り付けられた送受信機２のものであると判別する。そして、各フレームに格納されたＩＤ情報を送受信機２が取り付けられた右前輪６ａ、左前輪６ｂと対応付けて、制御部３３内のメモリに記憶（登録）する。
【００７０】
また、同様に、ステップ１４０において、受信した２個のフレームから受信強度データおよびＩＤ情報を読み出し、受信強度の高い順にＩＤ情報を並べ、受信強度が高い方のＩＤ情報を左後輪６ｄに取り付けられた送受信機２のもの、受信強度が低い方のＩＤ情報を右後輪６ｃに取り付けられた送受信機２のものであると判別する。そして、各フレームに格納されたＩＤ情報を送受信機２が取り付けられた右後輪６ｃ、左後輪６ｄと対応付けて、制御部３３内のメモリに記憶（登録）する。このようにして、車輪位置検出処理が終了する。
【００７１】
これにより、受信機３は、後述するタイヤ空気圧検出を行う場合に、タイヤ空気圧に関するデータが格納されたフレームが送信されてくると、そのフレーム内に格納されたＩＤ情報からフレームを送った送受信機２が４つの車輪６ａ〜６ｄのいずれに取り付けられたものであるかを判別し、各車輪６ａ〜６ｄのタイヤ空気圧を求めることが可能となる。したがって、各送受信機２が車輪６ａ〜６ｄのいずれに取り付けられているかについて、ユーザによるＩＤ情報の読み取りなどを行わなくても検出できる。
【００７２】
そして、タイヤ空気圧検出装置は、このようにして車輪位置検出を行った後、タイヤ空気圧検出を行う。
【００７３】
具体的には、タイヤ空気圧検出装置は定期送信モードとなり、上述したように、各送受信機２では、制御部２２に、センシング部２１からのタイヤ空気圧やタイヤ内の温度を示す検出信号が入力される。そして、この検出信号が必要に応じて信号処理されることでタイヤ空気圧に関するデータとされ、各送受信機２のＩＤ情報と共に送信するフレームに格納されたのち、所定周期毎にＲＦ送信部２３を通じて受信機３側に送信される。
【００７４】
一方、送受信機２からフレームが送信されると、それが受信機３のアンテナ３１にて受信され、受信部３２を通じて制御部３３に入力される。そして、制御部３３において、受信したフレームからタイヤ空気圧を示すデータおよびタイヤ内の温度を示すデータが抽出され、温度を示すデータに基づいて必要に応じて温度補正がなされ、タイヤ空気圧が求められる。このとき、フレーム内にＩＤ情報が格納されているため、車輪位置検出の際に記憶されたＩＤ情報と照合され、そのフレームが４つの車輪６ａ〜６ｄのいずれに取り付けられた送受信機２から送られてきたものかが判別される。
【００７５】
そして、求められたタイヤ空気圧と前回求められたタイヤ空気圧との差が所定のしきい値を超えていないようなタイヤ空気圧の変化が少ない場合には、タイヤ空気圧を検出する周期がそのまま（例えば１分間毎）とされ、所定のしきい値を超えてタイヤ空気圧の変化が大きい場合には、その周期が早められる（例えば５秒間毎）。
【００７６】
この後、求められたタイヤ空気圧が所定のしきい値を下回っていると判定されれば、制御部３３から表示器４にその旨を示す信号が出力され、タイヤ空気圧が低下したのが４つの車輪６ａ〜６ｄのいずれであるかが特定できる形態で、表示器４に表示される。これにより、ドライバに車輪６ａ〜６ｄのいずれのタイヤ空気圧が低下したかを知らせることが可能となる。
【００７７】
最後に、イグニッションスイッチがオンからオフに切り替わると、再び受信機３の制御部３３からトリガ機５にトリガ指令信号が出力され、トリガ機５からトリガ信号が出力される。このトリガ信号が受信アンテナ２７およびトリガ信号受信部２５を通じて制御部２２に入力されると、送受信機２がＳｌｅｅｐ状態に切り替わる。これにより、タイヤ空気圧検出装置のタイヤ空気圧検出が終了になる。
【００７８】
以上説明した本実施形態の車輪位置検出装置を備えたタイヤ空気圧検出装置によれば、距離Ｌ１の距離Ｌ２に対する比（Ｌ１／Ｌ２）を１．２以上にすると共に、距離Ｌ３の距離Ｌ４に対する比（Ｌ３／Ｌ４）を１．２以上にしている。これにより、第１トリガ機５ａが出力したトリガ信号は、両前輪６ａ、６ｂに取り付けられた送受信機２でしか受信されず、第２トリガ機５ｂが出力したトリガ信号は、両後輪６ｃ、６ｄに取り付けられた送受信機２でしか受信されないようにできる。
【００７９】
これにより、各送受信機２が車輪６ａ〜６ｄのいずれに取り付けられているかを、ユーザーによるＩＤ情報の読み取りなどを行わなくても検出できる車輪位置検出装置とし、かつ、トリガ信号を受信させたい対象輪ではない非対象輪に取り付けられた送受信機２までトリガ信号が受信されることを防止でき、車輪位置検出が精度良く行えなくなることを防止できる。
【００８０】
（第２実施形態）
本発明の第２実施形態について説明する。上記実施形態では、第１トリガ機５ａから左後輪６ｄに取り付けられた送受信機２までの距離Ｌ１や右前輪６ａに取り付けられた送受信機２までの距離Ｌ２、および、第２トリガ機５ｂから左前輪６ｂに取り付けられた送受信機２までの距離Ｌ３や左後輪６ｄに取り付けられた送受信機２までの距離Ｌ２について規定した。これに対し、本実施形態では、さらに、第１、第２トリガ機５ａ、５ｂを最適位置に配置する場合について説明する。
【００８１】
図７は、第１、第２トリガ機５ａ、５ｂの配置位置を示した模式図である。この図に示されるように、第１トリガ機５ａを両前輪６ａ、６ｂよりも車両１の前方に配置し、第２トリガ機５ｂを両後輪６ｃ、６ｄよりも車両２の後方に配置している。具体的には、第１トリガ機５ａを左前輪６ｂのホイールハウスの前方に配置し、第２トリガ機５ｂを左後輪６ｄのホイールハウスの後方に配置している。
【００８２】
このように第１、第２トリガ機５ａ、５ｂの配置位置を設定すれば、距離Ｌ１の距離Ｌ２に対する比（Ｌ１／Ｌ２）を大きくし易く、また、距離Ｌ３の距離Ｌ４に対する比（Ｌ３／Ｌ４）を大きくし易くすることが可能となる。これにより、より確実に第１トリガ機５ａが出力したトリガ信号は、両前輪６ａ、６ｂに取り付けられた送受信機２でしか受信されず、第２トリガ機５ｂが出力したトリガ信号は、両後輪６ｃ、６ｄに取り付けられた送受信機２でしか受信されないようにできる。
【００８３】
（第３実施形態）
本発明の第３実施形態について説明する。本実施形態も、さらに、第１、第２トリガ機５ａ、５ｂの配置場所を第１実施形態と変更するものである。
【００８４】
図８は、第１、第２トリガ機５ａ、５ｂの配置位置を示した模式図である。この図に示されるように、第１トリガ機５ａに関しては、第１実施形態と同様に、右前輪６ａよりも左前輪６ｂに近づけるよう車両１の中心線に対してオフセットさせ、第２トリガ機５ｂに関しては、第１実施形態と異なり、左後輪６ｄよりも右後輪６ｃに近づけるよう車両１の中心線に対してオフセットさせている。つまり、両前輪６ａ、６ｂのうち第１トリガ機５ａが近づけられる側の車輪と、両後輪６ｃ、６ｄのうち第２トリガ機５ｂが近づけられる側の車輪とが対角の関係に配置された左前輪６ｂと右後輪６ｃとなるようにしている。
【００８５】
上述したように、距離Ｌ１の距離Ｌ２に対する比（Ｌ１／Ｌ２）、および、距離Ｌ３の距離Ｌ４に対する比（Ｌ３／Ｌ４）をそれぞれ１．２以上とすることにより、第１トリガ機５ａが出力したトリガ信号は、両前輪６ａ、６ｂに取り付けられた送受信機２でしか受信されず、第２トリガ機５ｂが出力したトリガ信号は、両後輪６ｃ、６ｄに取り付けられた送受信機２でしか受信されないようにできる。
【００８６】
このため、第１、第２トリガ機５ａ、５ｂの位置関係は、お互いの配置位置に関わらず、独自に設定して構わない。したがって、本実施形態のような配置としても、上記第１実施形態と同様の効果を得ることができる。
【００８７】
また、このように車両１の左右両サイドに１つずつトリガ機５を配置した形態とすれば、各トリガ機５やそれに繋がるワイヤーハーネスの重量を車両１の左右でバランスさせられるため、車両１の左右の重量バランスを良くすることが可能になる。また、スマートエントリシステムにおけるドア開閉は、車両１に備えられたトリガ機からトリガ信号を出力し、ユーザが所持しているスマートキーがそのトリガ信号を受け取ったときにスマートキーから照合用の信号を出力することにより行われる。この場合に使用されるトリガ機は車両１の左右にそれぞれ配置される必要があるが、本実施形態では、第１、第２トリガ機５ａ、５ｂを車両１の左右に配置しているため、第１、第２トリガ機５ａ、５ｂにてスマートエントリシステムにおけるトリガ信号出力用のトリガ機と兼用させることが可能となる。さらに、受信部３からトリガ機５までのワイヤーハーネスの取り回しは、車両１の都合（他の部品の搭載位置等）によって制約される場合があるが、その車両１の都合に合せて第１、第２トリガ５ａ、５ｂの位置を決めることが可能となる。
【００８８】
（他の実施形態）
上記実施形態では、アンテナ３１が１本の共通アンテナとされる形態について説明したが、各車輪６ａ〜６ｄそれぞれに対応して４本設けられるような形態であっても構わない。ただし、アンテナ３１が共通アンテナとされた場合に、特に、送受信機２が取り付けられた車輪６ａ〜６ｄの特定が困難となることから、共有アンテナとされる場合に本発明を適用すると有効である。
【００８９】
また、上記実施形態では、イグニッションスイッチがオフからオンに切り替わってから所定時間後に車輪位置検出を行うようにしている。このため、運転者が車両１の走行を行う前に、仮に見た目は何もタイヤに変化が無かったとしても、前以てタイヤがパンクしていること、もしくは、タイヤ空気圧が以上に減少していることを検出することが可能となる。しかしながら、これ以外のときに車輪位置検出を行っても良い。例えば、タイヤローテーション後やタイヤ交換後などに行っても良い。タイヤローテーションやタイヤ交換したことは、例えば車両に設置された図示しない車輪位置検出用のスイッチが押されたり、車体に傾斜センサを設置して、車体７の傾斜を検出したことに基づいて判別できる。
【００９０】
また、上記第１実施形態では、第１、第２トリガ機５ｂを両方とも車両１の左側に配置した場合を示したが、右側に配置しても良い。同様に、上記第２実施形態では、第１トリガ機５ａを左前輪６ｂ側、第２トリガ機５ｂを右車輪６ｃ側に配置したが、第１トリガ機５ａを右前輪６ａ側、第２トリガ機５ｂを左車輪６ｄ側に配置しても良い。
【００９１】
上記実施形態では、第１トリガ機５ａを両前輪６ａ、６ｂ側に配置し、第２トリガ機５ｂを両後輪６ｃ、６ｄ側に配置している。そして、左右前輪６ａ、６ｂを一対としてそれらに対して第１トリガ機５ａからトリガ信号を出力し、左右後輪６ｃ、６ｄを一対としてそれらに対して第２トリガ機５ｂからトリガ信号を出力させるようにした。これに対して、第１トリガ機５ａを両左車輪６ｂ、６ｄ側に配置すると共に、第２トリガ機５ｂを両右車輪６ａ、６ｃ側に配置し、両左車輪６ｂ、６ｄを一対としてそれらに対して第１トリガ機５ａからトリガ信号を出力し、両右車輪６ａ、６ｃを一対としてそれらに対して第２トリガ機５ｂからトリガ信号を出力させるようにしても構わない。この場合、第１トリガ機５ａを両左車輪６ｂ、６ｄのいずれか一方に対して他方よりも近づけて配置し、第２トリガ機５ｂが両右車輪６ａ、６ｃのいずれか一方に対して他方よりも近づけて配置するようにすれば、第１、第２トリガ機５ａ、５ｂからトリガ信号を出力したときに、その受信強度が異なった値となるため、上記実施形態と同様の効果を得ることができる。
【００９２】
また、上記実施形態では、４輪車両に対して本発明の一実施形態を適用したものについて説明したが、４輪車両に限るものではなく、大型車両のようにそれ以上の車輪が備えられた車両の車輪位置検出装置やタイヤ空気圧検出装置に対して本発明を適用することもできる。
【図面の簡単な説明】
【００９３】
【図１】本発明の第１実施形態における車輪位置検出装置が適用されたタイヤ空気圧検出装置の全体構成を示すブロック図である。
【図２】図１に示すタイヤ空気圧検出装置の送受信機と受信機のブロック構成を示した図である。
【図３】トリガ信号の形態を示した模式図である。
【図４】第１トリガ機と右前輪および左後輪に取り付けられた各送受信機までの距離の関係を示した模式図である。
【図５】距離Ｌ１の距離Ｌ２に対する比（Ｌ１／Ｌ２）に対するトリガ信号の受信強度差を示した図である。
【図６】受信機の制御部が実行する車輪位置検出処理のフローチャートである。
【図７】第１、第２トリガ機の配置位置を示した模式図である。
【図８】第１、第２トリガ機の配置位置を示した模式図である。
【符号の説明】
【００９４】
１…車両、２…送受信機、３…受信機、４…表示器、５…トリガ機、５ａ…第１トリガ機、５ｂ…第２トリガ機、６ａ…右前輪、６ｂ…左前輪、６ｃ…右後輪、６ｄ…左後輪、７…車体、２１…センシング部、２２…制御部、２３…ＲＦ送信部、２４…電池、２５…トリガ信号受信部、２６…送信アンテナ、２７…受信アンテナ、３１…アンテナ、３２…ＲＦ受信部、３３…制御部。
【図１】
2008149831.tif 000003
【図２】
2008149831.tif 000004
【図３】
2008149831.tif 000005
【図４】
2008149831.tif 000006
【図５】
2008149831.tif 000007
【図６】
2008149831.tif 000008
【図７】
2008149831.tif 000009
【図８】
2008149831.tif 000010